(57)【要約】　　　（修正有）【課題】二重壁構造のスリット内への内容液等の侵入が有効に回避され、且つ分別廃棄性が良好な樹脂キャップを提供すること。【解決手段】キャップ本体の筒状側壁６の一部分には、外側壁と内側壁とに分断された二重壁領域が形成されており、二重壁領域は、外側壁引裂き開始領域（α）、内側壁引裂き開始領域（β）及び内外壁引裂き領域（γ）から形成されており、外側壁引裂き開始領域（α）及び内外壁引裂き領域（γ）では、筒状側壁の下端から上方に向かって延びているスリットにより外側壁と内側壁とが形成され、外側壁と内側壁とは、上端の薄肉の連続部４２で互いに連なっており、内側壁引裂き開始領域（β）では、筒状側壁の上端から下方に向かって延びているスリット４４により外側壁と内側壁とが形成され、外側壁と内側壁とは下端部分の一部で互いに連なって連結部が形成されている。【選択図】　図１
2004083092.tif 000002
【特許請求の範囲】
【請求項１】
容器口部に嵌合固定されるキャップ本体と、該キャップ本体に開閉可能に装着された上蓋とを備え、前記キャップ本体は、弱化線により区画された内容液注出用開口形成領域を有する頂板部と、頂板部周縁から垂下した筒状側壁とから成り、該筒状側壁の内面には、内方に突出している係止用突起が形成されており、該係止用突起が容器口部の外面と係合することにより、キャップ本体が容器口部に嵌合固定される樹脂キャップにおいて、
前記筒状側壁の少なくとも一部分には、外側壁と内側壁とに分断された二重壁領域が形成されており、該二重壁領域における外側壁或いは内側壁には、第１、第２或いは第３の弱化線が形成されているとともに、
前記二重壁領域は、周方向にサイドバイサイドに配置された外側壁引裂き開始領域（α）、内側壁引裂き開始領域（β）及び内外壁引裂き領域（γ）から形成されており、且つ内側壁引裂き開始領域領域（β）は、外側壁引裂き開始領域（α）と内外壁引裂き領域（γ）との間に位置しており、
前記外側壁引裂き開始領域（α）及び内外壁引裂き領域（γ）では、筒状側壁の下端から上方に向かって延びているスリットにより外側壁と内側壁とが形成され、該外側壁と内側壁とは、上端の薄肉の連続部で互いに連なっており、
前記内側壁引裂き開始領域（β）では、筒状側壁の上端から下方に向かって延びているスリットにより外側壁と内側壁とが形成され、該外側壁と内側壁とは、少なくとも一部で互いに連なって連結部を形成し、
前記第１の弱化線は、外側壁に形成されるものであり、前記領域（α）において、外側壁の下端から上方に向かって外側壁と内側壁との連続部まで延びており、前記第２の弱化線は、内側壁に形成されるものであり、領域（β）の領域（α）側下端付け根部乃至その近傍から立ち上がって、外側壁と内側壁との前記連結部の上面に沿って延びており、前記係止用突起よりも高い部分まで延びているとともに、
前記第３の弱化線は、内側壁に形成されるものであり、前記第２の弱化線の上端から、領域（α）とは反対側に向かって周方向に延びていることを特徴とする分別廃棄性に優れた樹脂キャップ。
【請求項２】
前記第３の弱化線は、前記領域（γ）の領域（β）とは反対側の周方向端部まで延びている請求項１に記載の樹脂キャップ。
【請求項３】
前記内側壁引裂き開始領域（β）において、内側壁と外側壁との連結部の上面は、前記外側壁引裂き開始領域（α）側が低く且つ前記内外壁引裂き領域（γ）側が高くなるような傾斜面となっており、該傾斜面に沿って第２の弱化線が延びている請求項１または２に記載の樹脂キャップ。
【請求項４】
前記二重壁領域は、筒状側壁の半周以上にわたって形成されている請求項１乃至３の何れかに記載の樹脂キャップ。
【請求項５】
前記上蓋は、キャップ本体に螺子締結或いはヒンジ連結されている請求項１乃至４の何れかに記載の樹脂キャップ。
【発明の詳細な説明】
【０００１】
【発明の属する技術分野】
本発明は、容器口部に嵌合固定されるキャップ本体と、該キャップ本体に開閉可能に装着された上蓋とから成る樹脂キャップに関するものであり、より詳細には、該キャップ本体の筒状側壁（スカート壁）が二重壁構造となっている樹脂キャップに関するものである。
【０００２】
【従来の技術】
最近になって、ゴミの廃棄処理や省資源の見地からゴミの分別廃棄が要求されるようになり、例えば容器口部に装着されている樹脂キャップについては、これを容器から取り外して、容器とは別個に廃棄することが要求されている。
一般に、各種の調味料容器などに使用されている多くの樹脂キャップは、容器口部に嵌合固定されるキャップ本体と、キャップ本体にヒンジ連結或いはネジ締結された上蓋とから構成されており、キャップ本体の筒状側壁の内面に形成されている係止突条が、容器口部外面に形成されている係止突条を乗り越えて密に係止している。従って、この種のキャップ（使用済みキャップ）を容器口部から取り除くためには、栓抜きのような工具が必要であり、分別廃棄作業が極めて面倒であるという問題がある。
【０００３】
上記のような問題点が解決された樹脂キャップとして、キャップ本体の筒状側壁（スカート壁）を二重壁構造としたものが知られている。かかる樹脂キャップでは、キャップ本体の筒状側壁が、ほぼ全周にわたって、その上端から下方に延びているスリットによって外側壁と内側壁とに分断され、該外側壁と内側壁とは下端で互いに連なっており、また、内側壁の内面には、容器口部の外面と係合する周状の係止突起が形成された構造となっている。
即ち、筒状側壁の外側壁に引き裂き用の弱化線を設けておき、この弱化線に連続させて内側壁にも弱化線を設けておき、これら弱化線を引き裂くことにより、内側壁の係止突起と容器口部との係合力を低下せしめ、この結果、栓抜きのような格別の工具を使用せずに、容易にキャップ本体を容器口部から取り除くことができるというものである。
【０００４】
【発明が解決しようとする課題】
しかしながら、上記のように、キャップ本体の筒状側壁が上端から下方に延びているスリット（上方スリット）により内側壁と外側壁とに分断された二重壁構造となっている樹脂キャップでは、容器内容液を注出する際に、注ぎ出された内容液がスリット内に入ってしまうおそれがあり、その改善が求められている。
【０００５】
従って本発明の目的は、キャップ本体の筒状側壁がスリットにより外側壁と内側壁とに分断された二重壁構造を有しているが、上方からのスリットによる二重壁構造部分を最小限の範囲に抑え、該スリット内への容器内容液等の侵入が有効に回避され、且つ分別廃棄性が良好な樹脂キャップを提供することにある。
【０００６】
【課題を解決するための手段】
本発明によれば、容器口部に嵌合固定されるキャップ本体と、該キャップ本体に開閉可能に装着された上蓋とを備え、前記キャップ本体は、弱化線により区画された内容液注出用開口形成領域を有する頂板部と、頂板部周縁から垂下した筒状側壁とから成り、該筒状側壁の内面には、内方に突出している係止用突起が形成されており、該係止用突起が容器口部の外面と係合することにより、キャップ本体が容器口部に嵌合固定される樹脂キャップにおいて、
前記筒状側壁の少なくとも一部分には、外側壁と内側壁とに分断された二重壁領域が形成されており、該二重壁領域における外側壁或いは内側壁には、第１、第２或いは第３の弱化線が形成されているとともに、
前記二重壁領域は、周方向にサイドバイサイドに配置された外側壁引裂き開始領域（α）、内側壁引裂き開始領域（β）及び内外壁引裂き領域（γ）から形成されており、且つ内側壁引裂き開始領域領域（β）は、外側壁引裂き開始領域（α）と内外壁引裂き領域（γ）との間に位置しており、
前記外側壁引裂き開始領域（α）及び内外壁引裂き領域（γ）では、筒状側壁の下端から上方に向かって延びているスリットにより外側壁と内側壁とが形成され、該外側壁と内側壁とは、上端の薄肉の連続部で互いに連なっており、
前記内側壁引裂き開始領域（β）では、筒状側壁の上端から下方に向かって延びているスリットにより外側壁と内側壁とが形成され、該外側壁と内側壁とは、少なくとも一部で互いに連なって連結部を形成し、
前記第１の弱化線は、外側壁に形成されるものであり、前記領域（α）において、外側壁の下端から上方に向かって外側壁と内側壁との連続部まで延びており、
前記第２の弱化線は、内側壁に形成されるものであり、領域（β）の領域（α）側下端付け根部乃至その近傍から立ち上がって、外側壁と内側壁との前記連結部の上面に沿って延びており、前記係止用突起よりも高い部分まで延びているとともに、
前記第３の弱化線は、内側壁に形成されるものであり、前記第２の弱化線の上端から、領域（α）とは反対側に向かって周方向に延びていることを特徴とする分別廃棄性に優れた樹脂キャップが提供される。
【０００７】
即ち、本発明の樹脂キャップにおいては、筒状側壁の二重壁領域は、周方向にサイドバイサイドに配置された外側壁引裂き開始領域（α）、内側壁引裂き開始領域（β）及び内外壁引裂き領域（γ）とから形成されているが、これらの領域の内、外側壁引裂き開始領域（α）と内外壁引裂き領域（γ）とは、筒状側壁の下端から上方に向かって延びているスリット（以下、このようなスリットを第１のスリットと呼ぶ）によって外側壁と内側壁とが形成されており、内側壁引裂き開始領域（β）のみが、筒状側壁の上端から下方に向かって延びているスリット（以下、このようなスリットを第２のスリットと呼ぶ）により、外側壁と内側壁とが形成されている。この領域（β）は、内側壁の引き裂きを開始させるためにのみ設けられるものであるため、その大きさ（周方向長さ）は極めて小さくてよく、従って、内容液を注ぎ出す際に、第２のスリット内への内容液の侵入を最小限に抑制することが可能となる。
また、外側壁引裂き開始領域（α）及び内外壁引裂き領域（γ）では、筒状側壁の下端から上方に向かって延びている第１のスリットにより外側壁と内側壁とが形成されており、しかも、これらの領域（α）及び（β）では、外側壁と内側壁とは、上端の薄肉の連続部で連なっているため、容器内容液が第１のスリット内に侵入するおそれはない。
【０００８】
上述した本発明において、容器口部からのキャップ本体の除去は、以下のようにして、格別の工具を用いることなく、容易に行うことができる。
先ず、外側壁引裂き開始領域（α）の外側壁に形成されている第１の弱化線を引き裂く。この状態で、引き裂かれた外側壁を内側壁引裂き開始領域（β）側方向に向かって捲っていくと、外側壁引裂き開始領域（α）においては、外側壁と内側壁とは上端に位置する薄肉の連続部で連なっているのみであるから、この薄肉の連続部が引き裂かれる。従って、この外側引裂き開始領域（α）では、外側壁が引き剥がされた状態となる。
上記のように引き剥がされた外側壁は、内側壁引裂き開始領域（β）において内側壁に連なっている。また、内側壁引裂き開始領域（β）では、内側壁の領域（α）側の下端付け根部から第２の弱化線が、外側壁と内側壁との連結部に沿って延びている。したがって、内側壁引裂き開始領域（β）において、引き剥がされた外側壁を摘み片として、筒状側壁の下端部分（この部分で内側壁と外側壁とが連なっている）を周方向に捲っていくと、内側壁に形成されている第２の弱化線が引き裂かれる。
前記の第２の弱化線は、容器口部との係止用突起よりも高い位置まで延びており、その上端において、やはり内側壁に形成されている第３の弱化線に連続している。第３の弱化線は、前記領域（α）とは反対側に向かって周方向に延びている。したがって、引き剥がされた外側壁（これには、引裂かれた内側壁が連なっている）をさらに周方向に捲っていくと、内側壁に形成されている第２の弱化線の引裂きに連続して、内外壁引裂き領域（γ）に延びている第３の弱化線が引裂かれる。また、内外壁引裂き領域（γ）においては、外側引裂き開始領域（α）と同様、外側壁と内側壁とは上端に位置する薄肉の連続部で連なっているのみであるから、内側壁に形成されている第３の弱化線の引裂きに伴って、領域（γ）の薄肉の連続部も同時に引き裂かれる。
【０００９】
このように、外側壁引裂き開始領域（α）においては、第１の弱化線及び外側壁と内側壁とを繋げている薄肉の連続部で外側壁が引裂かれ、内側壁引裂き開始領域（β）から第２の弱化線で内側壁の引裂きが始まり、第２の弱化線での引裂きに連続して第３の弱化線での内側壁の引裂きが行われ、さらに内外壁引裂き領域（γ）では、第３の弱化線での内側壁の引裂きとともに、外側壁と内側壁とを繋げている薄肉の連続部での外側壁の引裂きとが行われ、これにより、引き裂き作業が完了する。
ところで、内側壁に形成されている第３の弱化線は、容器口部との係止用突起よりも上方に位置しているから、上記の引裂き作業により、第３の弱化線が形成されていた部分では、容器口部と内側壁との係合は完全に解除されており、容器口部に残ったキャップ本体部分は、容器口部外面との係合力が著しく低下している。したがって、上記の引裂き作業を行った後、容易に容器口部からキャップ本体部分を取り除くことができる。
【００１０】
【発明の実施の形態】
本発明を、以下、螺子キャップを例にとって、添付図面に基づいて詳細に説明する。
図１は、本発明の樹脂キャップの要部であるキャップ本体の上面図であり、
図２は、図１のキャップ本体の側面図であり、
図３は、図１のキャップ本体を有する本発明の樹脂キャップ全体の構造を、容器口部と共に示す側断面図であり（図３中、キャップ本体１は、図１のキャップ本体のＡ−Ａ断面で示されている）、
図４は、図１のキャップ本体における筒状側壁の二重壁領域における第１のスリット及び第２のスリットの位置関係を説明するための要部概略側面図であり、
図５は、図１のキャップ本体のΑ−Α側面図であり、
図６は、図１のキャップ本体のΒ−Β断面図であり、
図７は、図１のキャップ本体のＣ−Ｃ断面図であり、
図８は、図１のキャップ本体のＤ−Ｄ断面図であり、
図９は、図１のキャップ本体の筒状側壁（外側壁及び内側壁）に形成されている各種弱化線の位置関係を説明するための要部概略側面図であり、
図１０は、図１のキャップ本体について、引き裂きを開始して、内側壁引裂き開始領域（β）までが引き裂かれた状態を示す図であり、（ａ）は上面図、（ｂ）は側面図であり、
図１１は、図１０の状態から更に引き裂きが行われ、引き裂きが完了した状態を示す図であり、（ａ）は上面図、（ｂ）は側面図である。
【００１１】
図１乃至図３（特に図３）を参照して、本発明の樹脂キャップは、キャップ本体１と上蓋２とから成る。
キャップ本体１は、大まかに言って、頂板部５と、頂板部５の周縁部から垂下している筒状側壁６とから成っている。
【００１２】
頂板部５の内面には、筒状側壁６とは間隔を置いて下方に延びているインナーリング９が形成されている。即ち、このインナーリング９と筒状側壁６との間の空間に、８０で示す容器口部が嵌め込まれてキャップ本体１は、容器口部８０に装着される。
また頂板部５には、注出用開口を形成するための弱化線１０が形成されており、頂板部５の上面側には、弱化線破断用のタブリング１２が設けられている。即ち、このタブリング１２を引っ張ることにより、弱化線１０が破断し、内容物を注ぎ出すための開口が頂板部５に形成されるようになっている。尚、この弱化線１０は、内容物の注ぎ出しを行うためのものであって、後述するキャップ本体１を容器口部から取り除くために設けられる各種の弱化線とは全く別のものである。
頂板部５の上面側には、弱化線１０を取り囲む様にして、注出液案内用の筒状突起１４が形成されており、注出用開口を介して注ぎ出された内容物は、この筒状突起１４に沿って案内される。
また、この筒状突起１４の外面には、上蓋２を螺子締結するための螺条１５が形成されている。
【００１３】
キャップ本体１の筒状側壁６の内面には、筒状側壁６の実質上全周にわたって、周状の係止用突起１６が形成されており、この係止用突起８と容器口部８０の外面との係合により、キャップ本体１は、容器口部にしっかりと固定される。
尚、上記の係止用突起１６には、適当な間隔で切欠き２０が形成されており、容器口部８０へのキャップ本体１の嵌め込みを容易に行い得るようになっている（図３等参照）。
【００１４】
一方、上蓋２は、天板３０と、天板３０の周縁部から延びているスカート３１とから形成されている。
天板３０の内面には、シール用の周状突起３３が形成されており、また、スカート３１の内面には、筒状突起１４の外面に設けられている前記螺条１５と螺子係合する螺条３５が設けられている。即ち、上蓋２は、螺条１５と螺条３５との螺子係合により、キャップ本体１に装着され、この螺子係合により上蓋２を閉じたとき、周状突起３３の外面が筒状突起１４の内面に密着するようになっており、この密着により、弱化線１０を破断しての注出用開口形成後のシール性が確保される。
【００１５】
上述した樹脂キャップにおけるキャップ本体１の上面図である図１を参照して、筒状側壁６の３／４周にわたって、スリットにより内側壁と外側壁とに分断された二重壁領域Ｘが形成されている。即ち、二重壁領域Ｘにおいては、内側壁の内面に前述した係止用突起１６が形成され、二重壁領域Ｘを除く１／４周部分の領域Ｙでは、筒状側壁６は、内側壁と外側壁とに分断されていない。
この二重壁領域Ｘは、外側壁引裂き開始領域（α）、内側壁引裂き開始領域（β）及び内外壁引裂き領域（γ）からなっている。図１から明らかな通り、これらの領域（α）、（β）及び（γ）は周方向にサイドバイサイドに配列されており、内側壁引裂き開始領域（β）は、外側壁引裂き開始領域（α）と内外壁引裂き領域（γ）との間に位置している。
【００１６】
ところで、図３中に示されているキャップ本体１は、図１のキャップ本体１のＡ−Ａ断面図であり、この図３を特に参照されたい。
即ち、外側壁引裂き開始領域（α）及び内外壁引裂き領域（γ）においては、図３に示されているように、筒状側壁６の下端から上方に延びている第１のスリット４０により外側壁６ａと内側壁６ｂとに分断されている。この第１のスリット４０は、内側壁６ｂの内面に形成されている係止用突起８よりも上方にまで延びており、外側壁６ａと内側壁６ｂとは、その上端の薄肉部４２で互いに連なっている。
【００１７】
一方、図１から理解されるように、内側壁引裂き開始領域（β）では、筒状側壁６の上端から下方に延びている第２のスリット４４により、外側壁６ａと内側壁６ｂとに分断されている。
この内側壁引裂き開始領域（β）に関しては、第１のスリット４０と第２のスリット４４との位置関係を示す図４、及び図１のキャップ本体１について、種々の位置での側断面図を示す図５乃至図８を参照されたい。
尚、図６〜８の側断面図では、タブリング１２により弱化線１０を破断して注出用開口を形成した状態が示されている。従って、これらの図では、タブリング１２は取り除かれているため、示されていない。
【００１８】
即ち、内側壁引裂き開始領域（β）において、第２のスリット４４の一部は、筒状側壁６の上端から内側壁６ｂの内面に形成されている係止用突起１６よりも下方にまで延びており、外側壁６ａと内側壁６ｂとは、その下方部分で互いに連なっている。この外側壁６ａと内側壁６ｂとの下方部における連結部は、４６で示されている。即ち、特に図４に示されているように、また図６、図７、図８の比較から理解されるように、外側壁引裂き開始領域（α）側において第２のスリット４４は深く形成されており、内外壁引裂き領域（γ）側において第２のスリット４４は浅く形成されており、その結果、内側壁６ｂと外側壁６ａとの連結部４６の上面は、外側壁引裂き開始領域（α）側が低く且つ内外壁引裂き領域（γ）側が高くなるような傾斜面４６ａとなっている。
また、第２のスリット４４の両端部分、即ち、外側壁引裂き開始領域（α）側の端部や内外壁引裂き領域（γ）側の端部は、場合によっては、完全に下端まで延びていてもよい。即ち、第２のスリット４４により、筒状側壁６が完全に外側壁６ａと内側壁６ｂとに分断されている部分があってもよい。
【００１９】
本発明においては、キャップ本体１を容器口部８０から容易に除去するために、上述した二重壁領域（Ｘ）における筒状側壁６の外側壁６ａ及び内側壁６ｂに、厚みが薄く形成されている種々の弱化線（第１〜第３の弱化線）が形成されている。
図９には、このような各種弱化線の位置関係の概略が示されている。
【００２０】
即ち、図９及び図２、並びに図５に示されているように、外側壁引裂き開始領域（α）における周方向端部（内側壁引裂き開始領域（β）とは反対側の端部）には、外側壁６ａの下端にノッチ４８が形成されている。また、図９及び図２に示されているように、ノッチ４８が形成されている部分から、垂直方向に延びている第１の弱化線５０が外側壁６ａに形成されている。
外側壁引裂き開始領域（α）では、既に説明したように、上端部分において、外側壁６ａと内側壁６ｂとが連なっており、上記第１の弱化線５０は、外側壁６ａと内側壁６ｂとの薄肉の連続部４２まで延びている。
【００２１】
また、内側壁引裂き開始領域（β）においては、既に説明したように、下方部分において、外側壁６ａと内側壁６ｂとが連なっている（連続部４６）。
第２の弱化線（図９において５４で示す）は、内側壁６ｂに形成されるものであり、図９から明らかな通り、この領域（β）における内側壁６ｂの領域（α）側の付け根部乃至その近傍から始まり、外側壁６ａと内側壁６ｂとの連結部４６の上面（傾斜面）４６ａに沿って延びている。この第２の弱化線５４の上端５４ａは、内側壁６ｂの内面に形成されている容器口部との係止用突起１６よりも高い部分に位置している。
【００２２】
更に、第３の弱化線（図９において５６で示す）も内側壁６ｂに形成されるものであり、図９に示されているように、第３の弱化線５６は、第２の弱化線５４の上端５４ａに連続しており、内外壁引裂き領域（γ）の周方向端部（領域（β）とは反対側の端部）まで延びている。即ち、第３の弱化線５６は、係止用突起１６よりも高い位置で周方向に水平に延びている。
また、内外壁引裂き領域（γ）では、外側壁引裂き開始領域（α）と同様、上端の薄肉の連続部４２で外側壁６ａと内側壁６ｂとが連なっている。
【００２３】
本発明では、上述した第１〜第３の弱化線５０、５４、５６及び薄肉の連続部４２に沿って、外側壁６ａ或いは内側壁６ｂを引き裂いていくことにより、格別の工具を用いることなく、キャップ本体１を容器口部８０から取り除くことができる。この操作を、図１０及び図１１に示した。
【００２４】
先ず、図１０に示されているように、外側壁引裂き開始領域（α）の外側壁６ａに形成されている第１の弱化線５０を、ノッチ４８を開始点として引き裂く。この状態で、引き裂かれた外側壁６ａを内側壁引裂き開始領域（β）側方向に向かって捲っていくと、外側壁６ａと内側壁６ｂとが連なる薄肉の連続部４２が容易に引き裂かれ、この領域（α）において外側壁６ａが引き剥がされる。
このようにして引き剥がされた外側壁６ａは、内側壁引裂き開始領域（β）において形成されている連結部４６を介して内側壁６ｂに連なっている。
従って、引き剥がされた外側壁６ａを摘み片として捲っていくと、内側壁引裂き開始領域（β）において、内側壁６ｂに形成されている第２の弱化線５４が引裂かれ、さらに第２の弱化線５４の上端に連なっている第３の弱化線５６の引き裂きが始まっている。
従って、この段階では、図１０に示されているように、内側壁引裂き開始領域（β）における内側壁６ｂが引裂かれており、このようにして引き裂かれた片（図１０において６０で示す）には、外側壁引裂き開始領域（α）で引裂かれた外側壁６ａ及び内側壁引裂き開始領域（β）における外側壁６ａが、連結部４６で内側壁６ｂと一体に連なっている。
また、内側壁引裂き開始領域（β）で引裂かれて剥がされた内側壁６ａには係止用突起１６が存在している。かくして、この領域（β）での引裂きによって、キャップ本体１と容器口部８０との係合の解除が始まる。
【００２５】
次いで、上記のようにして引き裂かれた片６０を、内外壁引裂き領域（γ）側に捲っていく。これにより、図１１に示されているように、この領域（γ）において、内側壁６ｂに形成されている第３の弱化線５６が引き裂かれ、同時に、外側壁６ａと内側壁６ｂとを繋げている上端の薄肉の連続部４２も引き裂かれていく。
即ち、内外壁引裂き領域（γ）において、第３の弱化線５６及び上端の薄肉の連続部４２を引き裂いた段階で引き裂き作業は完了する。
この状態では、内外壁引裂き領域（γ）においても、係止用突起１６を備えた内側壁６ｂが引き裂かれているため、キャップ本体１と容器口部８０との係合が完全に解除されている。
【００２６】
このように、上記の手順にしたがって外側壁６ａ及び内側壁６ｂに形成されている第１〜第３の弱化線５０、５４、５６や薄肉の連続部４２を引き裂いていくことにより、内側壁引裂き開始領域（β）から内外壁引裂き領域（γ）にかけて、容器口部８０とキャップ本体１（内側壁６ｂ）との係合が完全に解除され、また、外側壁引裂き開始領域（α）においても、外側壁６ａが引き裂かれているため、容器口部８０とキャップ本体１（内側壁６ｂ）との係合力は弱められている。従って、この状態では、容易にキャップ本体１を容器口部８０から取り除くことが可能となるわけである。
【００２７】
上述した本発明の樹脂キャップにおいて、筒状側壁６の二重壁領域（Ｘ）は、３／４周にわたって形成されているが、かかる領域（Ｘ）の大きさは、これに限定されるものではなく、例えば筒状側壁６の全周が二重壁領域（Ｘ）になっていてもよい。この場合、外側壁引裂き開始領域（α）及び内外壁引裂き領域（γ）に形成されている第１のスリット４０は一体に連なっていることになる。
また、図１２のように各種弱化線等の引き裂き作業が完了した段階で、容器口部８０に係合しているキャップ本体１の残部を容易に除去できる限り、二重壁領域（Ｘ）の大きさは小さくともよく、通常、少なくとも半周にわたって二重壁領域（Ｘ）が形成されていればよい。
さらに、外側壁引裂き開始領域（α）と内外壁引裂き領域（γ）とは、同じ大きさ（周方向幅）とする必要はなく、例えば、内外壁引裂き領域（γ）の周方向幅がキャップ本体１の残部を容易に除去するに十分な大きさを有している限り、外側壁引裂き開始領域（α）の周方向幅はかなり小さなものであってもよいし、更に第３の弱化線５６は、内外壁引裂き領域（γ）の端部（領域（β）とは反対側の端部）まで延びていなくともよい。
また、内側壁引裂き開始領域（β）の周方向幅（第２のスリット４４の上端幅に相当）は、この領域での第２の弱化線５４の引き裂きを有効に行い得る限り、できるだけ小さいほうが好ましい。即ち、この周方向幅が大きくなるほど、内容液の注ぎだしに際して、内容液が上方スリット４４内に侵入する頻度が高くなるからである。更に、この領域（β）では、内側壁６ｂの内面に必ずしも容器口部との係止用突起１６が形成されていなくともよい。
【００２８】
また、上述した例では、第２の弱化線５４の上端５４ａは、内側壁引裂き開始領域（β）内に位置しているが、係止用突起１６よりも上方に位置している限りにおいて、この上端５４ａは、内外壁引裂き領域（γ）内に位置していてもよい。
さらに、内側壁引裂き開始領域（β）において、第２の弱化線５４の引裂きが有効に行われるような連結部４６が形成されている限りにおいて、下方から延びているスリットにより筒状側壁の下部が分断されていてもよい。即ち、連結部４６の下部も分断されて外側壁と内側壁とが形成されていてもよい。
【００２９】
さらに、上蓋が螺子係合によりキャップ本体に装着される所謂螺子キャップを例にとって本発明を説明したが、本発明は、このような螺子キャップに限定されるものではなく、例えば筒状側壁の上端部分に上蓋がヒンジ連結した所謂ヒンジキャップにも本発明を適用し得ることは、当業者であれば容易に理解されよう。
【００３０】
上述した本発明の樹脂キャップ（キャップ本体１及び上蓋２）の成形に用いる樹脂としては、各種のプラスチック、例えば、低−、中−または高密度ポリエチレン、線状低密度ポリエチレン、ポリプロピレン、熱可塑性ポリエステル、ポリアミド、スチレン系樹脂、ΑΒＳ樹脂等が一般に使用される。このような樹脂を用いての射出成形、圧縮成形等の一体成形により、本発明の樹脂キャップを製造することができる。尚、前述した上方および下方スリットや各種弱化線は、一体成形により形成することもできるが、場合によっては、カッティング加工等の後加工によって形成することもできる。
【００３１】
【発明の効果】
本発明によれば、各種弱化線の引き裂きにより、格別の工具を使用することなしに、キャップ本体の容器口部からの取り除き作業を容易に行うことができるとともに、上方から下方に延びている第２のスリットによる筒状側壁の分断領域（内側壁引裂き開始領域（β））の周方向幅を可及的に小さくすることができ、従って、内容液の注ぎ出しに際して、内容液の上方スリット内への侵入を有効に抑制することができる。
【図面の簡単な説明】
【図１】本発明の樹脂キャップの要部であるキャップ本体の上面図。
【図２】図１のキャップ本体の側面図。
【図３】図１のキャップ本体を有する本発明の樹脂キャップ全体の構造を、容器口部と共に示す側断面図であり、図３中、キャップ本体１は、図１のキャップ本体のＡ−Ａ断面で示す。
【図４】図１のキャップ本体における筒状側壁の二重壁領域における第１のスリット及び第２のスリットの位置関係を説明するための要部概略側面図。
【図５】図１のキャップ本体のΑ−Α側面図。
【図６】図１のキャップ本体のΒ−Β断面図。
【図７】図１のキャップ本体のＣ−Ｃ断面図。
【図８】図１のキャップ本体のＤ−Ｄ断面図。
【図９】図１のキャップ本体の筒状側壁（外側壁及び内側壁）に形成されている各種弱化線の位置関係を説明するための要部概略側面図。
【図１０】図１のキャップ本体について、引き裂きを開始して、内側壁引裂き開始領域（β）までが引き裂かれた状態を示す図であり、（ａ）は上面図、（ｂ）は側面図である。
【図１１】図１０の状態から更に引き裂きが行われ、引き裂きが完了した状態を示す図であり、（ａ）は上面図、（ｂ）は側面図である。
【符号の説明】
１：キャップ本体　　　　　　　　２：上蓋
６：筒状側壁　　　　　　　　　　６ａ：外側壁
６ｂ：内側壁　　　　　　　　　　１６：係止用突起
４０：第１のスリット　　　　　　４２：薄肉の連続部
４４：第２のスリット　　　　　　５０：第１の弱化線
５４：第２の弱化線　　　　　　　５６：第３の弱化線
【図１】
2004083092.tif 000003
【図２】
2004083092.tif 000004
【図３】
2004083092.tif 000005
【図４】
2004083092.tif 000006
【図５】
2004083092.tif 000007
【図６】
2004083092.tif 000008
【図７】
2004083092.tif 000009
【図８】
2004083092.tif 000010
【図９】
2004083092.tif 000011
【図１０】
2004083092.tif 000012
【図１１】
2004083092.tif 000013